(57)【特許請求の範囲】
【請求項１】
複数のエレベータが設置された任意の乗場に行先階釦が設けられ、該行先階釦により行先階呼びが登録されると、これに応答すべきエレベータかごを割当て手段により決定し、操作された乗場に該エレベータかごを呼び寄せる群管理システムにおいて、前記複数のエレベータかごをサービスグループに分けて配置し、前記乗場にはエレベータ毎のホールランタンと、前記複数のエレベータかごのサービスグループを表示する表示手段と、操作されると点灯する行先階釦テルテールとを設け、前記行先階呼びに割当てられたエレベータかごの属するサービスグループの行先階釦のテルテールは連続点灯を維持するのに対して、割当てかごの属さないサービスグループの行先階釦のテルテールは連続点灯させない手段を備えたことを特徴とするエレベータの群管理システム。
【請求項２】
前記ホールランタンは、上昇用と下降用が別々に存在することを特徴とする請求項１に記載のエレベータの群管理システム。
【請求項３】
任意の乗場は、建物の中間階の乗場であることを特徴とする請求項１又は請求項２に記載のエレベータの群管理システム。
【請求項４】
エレベータかごのサービスグループ分けは、対面配置されたエレベータの前面側と背面側とのグループ分けであることを特徴とする請求項１又は請求項２又は請求項３に記載のエレベータの群管理システム。
【請求項５】
前記呼び割当て手段を前記乗場で同一方向に同時に割当て可能なエレベータかごを各サービスグループにつき１台にすることを特徴とする請求項１又は請求項２又は請求項３又は請求項４に記載のエレベータの群管理システム。
【発明の詳細な説明】
【０００１】
【発明の属する技術分野】
本発明は、群管理エレベータ、特に任意の乗場に行先階登録釦を設けたエレベータの群管理システムに関するものである。
【０００２】
【従来の技術】
通常のエレベータの乗場には、上昇呼び釦と下降呼び釦が設置され、待ち客がこれらの釦を操作すると乗場呼びが登録されて、群管理制御装置はこの乗場呼びに応答する最適なかごを決定し、このかごにこの乗場呼びを割当てることにより、効率よくエレベータ全体を運転させるのが一般的である。
【０００３】
しかし最近は、図２に示すように、乗場に行先階登録操作盤１を設置して、乗場において待ち客が直接行先階を指示できるエレベータが設けられるようになってきた。
即ち、行先階登録された呼びに対し、何れのエレベータがサービスするかを、つまりＡ号機かB号機かなどを操作盤の表示部２と各エレベータの行先階表示器３との両方で表示案内するようになっている。
【０００４】
【発明が解決しようとする課題】
しかし、例えば対面式に複数のエレベータが配置されるようにエレベータの台数が多くなると、何号機のエレベータが自分の呼びに答えてくれるのか直ぐには分からない状況が発生する。又、基準階以外の中間階にもこのような行先階登録操作盤が設置される群管理エレベータになると表示案内装置の数が非常に多くなり、コストもそれだけ高くなってしまう問題があった。
【０００５】
本発明は、上記の点に鑑みなされたもので、コストがあまりかからずより分かりやすい表示案内装置を提供することを目的とする。
【０００６】
【課題を解決するための手段】
本発明は、複数のエレベータが設置された任意の乗場に行先階釦が設けられ、該行先階釦により行先階呼びが登録されると、これに応答すべきエレベータかごを割当て手段により決定し、操作された乗場に該エレベータかごを呼び寄せる群管理システムにおいて、前記複数のエレベータかごをサービスグループに分けて配置し、前記乗場にはエレベータ毎のホールランタンと、前記複数のエレベータかごのサービスグループを表示する表示手段と、操作されると点灯する行先階釦テルテールとを設け、前記行先階呼びに割当てられたエレベータかごの属するサービスグループの行先階釦のテルテールは連続点灯を維持するのに対して、割当てかごの属さないサービスグループの行先階釦のテルテールは連続点灯させない手段を備える。ものである。
【０００７】
【発明の実施の形態】
本発明は、通常エレベータ毎に設けられる行先階表示器を不要にできるエレベータの群管理システムである。
【０００８】
【実施例】
以下、本発明の一実施例について、図面を用いて説明する。
図１は本発明に係る装置構成を示す全体概略図、図３は本発明に係る乗場操作盤の一例を示す拡大正面図、図４は例えば計６台のエレベータが対面した状態で配置された群管理エレベータの平面配置図、図５は本発明装置の動作を示すフローチャート図である。
【０００９】
図中、１０は任意の乗場に設置された本発明に係る乗場操作盤で、行先階登録釦１１とサービスグループ表示装置１２とから構成されている。このサービスグループ表示装置１２は、例えば前面のグループと背面のグループがグループ分けされ、それぞれのグループを案内分けするようになっている。１３は各かごの予報や到着情報を点灯・点滅表示する周知のホールランタン、１４は各かごの運行を制御するかご制御装置である。
【００１０】
１５はエレベータ全体の運行を指令する群管理装置で、行先階登録釦１１により新たに登録された呼びに対して応答すべきかごを決定する呼び割当て手段１５ａと、各かごに対する全般的な運行制御を行なう運行制御手段１５ｂと、各かごの運行状況やサービス状況などのデータを周期的に統計処理する学習手段１５ｃとを有している。１６は各かご制御装置１４と群管理装置１５との間の通信を行なうバスラインである。
【００１１】
ここで、呼び割当て手段１５ａについては、次のような制約が課せられている。
即ち、
前面グループと背面グループでは、上昇方向と下降方向に走行するかごがそれぞれ１台づつしか割当てられないようになっている。つまり、同一階床において同一方向に同時に割当て可能なエレベータかごについては、各グループにつき１台に制限するものである。
【００１２】
次に、本発明装置の動作について、図５を用いて説明する。
先ず、ステップ１において、乗場操作盤１０の行先階登録釦１１が押されたかどうかをチェックし、押された場合は操作中の行先階登録釦のテルテールを点灯させる。次に、ステップ２において、その行先階は既に登録済かどうかをチェックし、未登録ならば登録する。そして、群管理装置１５によりこの行先階を最適なかごに割当て、この割当て号機のランタンを点灯させて、同時にチャイムでも案内する。この行先階がもし既登録済ならば、ランタンについては点灯済なのでチャイムのみで案内する。
【００１３】
次に、ステップ３において、呼びが割当てられた号機が操作された行先階登録釦側（つまり、前面グループ側かどうか）に位置しているかどうかをチェックする。もし、前面グループの号機であれば、サービスグループ表示装置１２の「前面のエレベータをご利用ください」という表示を点灯させ、全ての前面行先階登録釦における該当テルテールを点灯させる。既に点灯していれば、その点灯が維持される。
【００１４】
逆に、背面グループの号機であれば、サービスグループ表示装置１２の「背面グループのエレベータをご利用ください」という表示を点灯させ、全ての背面行先階登録釦における該当テルテールを点灯させる。この背面グループの号機の場合には、待ち客が登録釦から手を放すと、直ぐに前面の登録釦のテルテールは消灯することになる。つまり、連続点灯はなされない。
【００１５】
したがって、待ち客は乗場操作盤１０のサービスグループ表示装置或いは登録釦テルテール及びホールランタンにより、何れの号機のエレベータが自分の登録呼びをサービスしてくれるのかが分かる仕組みになっている。
【００１６】
尚、以上の説明では、エレベータのグループ分けを前面と背面にしているが、このグループ分けについてはエレベータの配置状態に応じて適宜設定すれば良い。
【００１７】
【発明の効果】
以上述べたように、本発明によれば待ち客に対しても、少ない表示装置で十分な情報を案内できるため、コストのかからないエレベータの群管理システムを構成できる。特に、乗場の全階床に本発明に係る乗場操作盤を設けるような場合にメリットが大きい。
【図面の簡単な説明】
【図１】本発明に係る装置構成を示す全体概略図である。
【図２】従来の表示案内装置を示す正面図である。
【図３】本発明に係る乗場操作盤の一例を示す拡大正面図である。
【図４】計６台のエレベータが対面した状態で配置された群管理エレベータの平面配置図である。
【図５】本発明装置の動作を示すフローチャート図である。
【符号の説明】
１，１０  乗場操作盤
１１  行先階登録釦
１２  サービスグループ表示装置
１３  ホールランタン
１４  かご制御装置
１５  群管理装置
１５ａ  呼び割当て手段
１５ｂ  運行制御手段
１５ｃ  学習手段
【図１】
0004765230.tif 000002
【図２】
0004765230.tif 000003
【図３】
0004765230.tif 000004
【図４】
0004765230.tif 000005
【図５】
0004765230.tif 000006